(57)【要約】【課題】アンテナが外力を受けても、アンテナと電子機器内の所定箇所との接続が破損しにくいアンテナ固定構造を提供する。【解決手段】ホルダ３０は、アンテナ２１を固定する。アンテナ２１の端部は、直線部21L1と直線部21L1に対して交差する方向の交差部21L2とを有するＬ字状部２１Ｌとなっている。アンテナ２１は、直線部21L1に対して交差する方向の交差部21C0を有する。ホルダ３０は、アンテナ２１をＬ字状部２１Ｌ側より挿入させる開口3021と、交差部21C0が接触する当て部3023とを有する第１の規制部３０２と、第１の規制部３０２を通過した交差部21L2を通すためのスリット３０５と、スリット３０５を通り抜けた交差部21L2が接触する底面部303Bとを有する第２の規制部３０３とを備える。ホルダ３０及び交差部21L2は、電子機器の所定箇所に固定されている。【選択図】図１
2015104032.tif 000002
【特許請求の範囲】
【請求項１】
アンテナと、前記アンテナを固定するホルダとを備え、
前記アンテナは、
長手方向の一方の端部が、前記長手方向の直線部と、前記直線部の一方の端部と連続し、前記直線部に対して交差する方向の第１の交差部とを有するＬ字状部となっており、
前記直線部の他方の端部と連続し、前記直線部に対して交差する方向の第２の交差部を有し、
前記ホルダは、
前記アンテナを前記Ｌ字状部側より挿入させる開口と、前記第２の交差部が接触する当て部とを有する第１の規制部と、
前記第１の規制部を通過した前記第１の交差部を通すためのスリットと、前記スリットを通り抜けた前記第１の交差部が接触する底面部とを有する第２の規制部と、
を有し、
前記ホルダ及び前記第１の交差部が、それぞれ、電子機器の所定箇所に固定されている
ことを特徴とするアンテナ固定構造。
【請求項２】
前記底面部は、前記スリットを通り抜けた前記第１の交差部を所定の角度回転させた位置に、前記第１の交差部をはめる溝状凹部を有することを特徴とする請求項１記載のアンテナ固定構造。
【請求項３】
前記底面部は、前記溝状凹部に隣接して、前記第１の交差部を回転させるときに前記第１の交差部が乗り越えるテーパ部を有することを特徴とする請求項２記載のアンテナ固定構造。
【請求項４】
前記アンテナは、前記Ｌ字状部以外の部分がコイル部となっているヘリカルアンテナであり、
前記第２の交差部は、前記コイル部のターンの一部であり、
前記第１の規制部は円筒部であり、
前記コイル部の少なくとも一部が前記円筒部に嵌合している
ことを特徴とする請求項１〜３のいずれか１項に記載のアンテナ固定構造。
【請求項５】
前記ホルダは、前記電子機器内のシャーシに固定されており、
前記第１の交差部が、前記シャーシに取り付けられたプリント基板のランドに半田付けされていることを特徴とする請求項１〜４のいずれか１項に記載のアンテナ固定構造。
【請求項６】
プリント基板を取り付けたシャーシを内蔵する筐体と、
前記筐体から突出し、アンテナをアンテナカバーで覆ったアンテナ部と、
を備え、
前記アンテナは、前記シャーシに固定されたホルダに固定されており、
前記アンテナは、
長手方向の一方の端部が、前記長手方向の直線部と、前記直線部の一方の端部と連続し、前記直線部に対して交差する方向の第１の交差部とを有するＬ字状部となっており、
前記直線部の他方の端部と連続し、前記直線部に対して交差する方向の第２の交差部を有し、
前記ホルダは、
前記アンテナを前記Ｌ字状部側より挿入させる開口と、前記第２の交差部が接触する当て部とを有する第１の規制部と、
前記第１の規制部を通過した前記第１の交差部を通すためのスリットと、前記スリットを通り抜けた前記第１の交差部が接触する底面部とを有する第２の規制部と、
を有し、
前記第１の交差部が、前記プリント基板のランドに半田付けされていることを特徴とする電子機器。
【発明の詳細な説明】
【技術分野】
【０００１】
本発明は、アンテナを電子機器に固定するアンテナ固定構造、及び、アンテナを備える電子機器に関する。
【背景技術】
【０００２】
電子機器の一例として携帯無線機は、電波の送受信用のアンテナを備える。業務用途の携帯無線機においては、アンテナの性能を効果的に発揮して確実に通信を行うことができるよう、アンテナを筐体内に内蔵せず、アンテナを筐体から突出させた構造を採用することがある。
【先行技術文献】
【特許文献】
【０００３】
【特許文献１】特開平１０−６５５６７号公報
【発明の概要】
【発明が解決しようとする課題】
【０００４】
アンテナを、特許文献１に記載されているようなピン、ばね、ねじ等の金属を介してプリント基板に接続すると、インピーダンス整合の損失が生じやすい。そこで、アンテナの給電点をプリント基板に直接接続するのが望ましい。具体的には、給電点をプリント基板のランドに直接半田付けするのがよい。
【０００５】
しかしながら、アンテナが筐体から突出した電子機器においては、給電点をプリント基板のランドに直接半田付けすると、アンテナが外力を受けた際の力が半田付けの箇所に直接伝達する。すると、半田付けの箇所の破損（半田剥離）を生じる可能性がある。
【０００６】
ここでは、アンテナをプリント基板のランドに直接半田付けする場合を例としたが、アンテナを電子機器内の所定箇所に接続する場合も同様である。アンテナが外力を受けると、アンテナと電子機器内の所定箇所との接続が破損する可能性がある。
【０００７】
本発明は、アンテナが外力を受けても、アンテナと電子機器内の所定箇所との接続が破損しにくいアンテナ固定構造及び電子機器を提供することを目的とする。
【課題を解決するための手段】
【０００８】
本発明は、上述した従来の技術の課題を解決するため、アンテナと、前記アンテナを固定するホルダとを備え、前記アンテナは、長手方向の一方の端部が、前記長手方向の直線部と、前記直線部の一方の端部と連続し、前記直線部に対して交差する方向の第１の交差部とを有するＬ字状部となっており、前記直線部の他方の端部と連続し、前記直線部に対して交差する方向の第２の交差部を有し、前記ホルダは、前記アンテナを前記Ｌ字状部側より挿入させる開口と、前記第２の交差部が接触する当て部とを有する第１の規制部と、前記第１の規制部を通過した前記第１の交差部を通すためのスリットと、前記スリットを通り抜けた前記第１の交差部が接触する底面部とを有する第２の規制部とを有し、前記ホルダ及び前記第１の交差部が、それぞれ、電子機器の所定箇所に固定されていることを特徴とするアンテナ固定構造を提供する。
【０００９】
また、本発明は、上述した従来の技術の課題を解決するため、プリント基板を取り付けたシャーシを内蔵する筐体と、前記筐体から突出し、アンテナをアンテナカバーで覆ったアンテナ部とを備え、前記アンテナは、前記シャーシに固定されたホルダに固定されており、前記アンテナは、長手方向の一方の端部が、前記長手方向の直線部と、前記直線部の一方の端部と連続し、前記直線部に対して交差する方向の第１の交差部とを有するＬ字状部となっており、前記直線部の他方の端部と連続し、前記直線部に対して交差する方向の第２の交差部を有し、前記ホルダは、前記アンテナを前記Ｌ字状部側より挿入させる開口と、前記第２の交差部が接触する当て部とを有する第１の規制部と、前記第１の規制部を通過した前記第１の交差部を通すためのスリットと、前記スリットを通り抜けた前記第１の交差部が接触する底面部とを有する第２の規制部とを有し、前記第１の交差部が、前記プリント基板のランドに半田付けされていることを特徴とする電子機器を提供する。
【発明の効果】
【００１０】
本発明のアンテナ固定構造及び電子機器によれば、アンテナが外力を受けても、アンテナと電子機器内の所定箇所との接続を破損しにくくすることができる。
【図面の簡単な説明】
【００１１】
【図１】一実施形態の電子機器である携帯無線機を示す外観斜視図である。
【図２】携帯無線機の筐体内に収納されているシャーシを示す斜視図である。
【図３】アンテナの形状の一例を示す斜視図である。
【図４】一実施形態のアンテナ固定構造及び電子機器で用いるホルダを上方斜め方向より見た斜視図である。
【図５】一実施形態のアンテナ固定構造及び電子機器で用いるホルダを下方斜め方向より見た斜視図である。
【図６】ホルダにアンテナを固定する固定方法の一連の手順における手順１を示す斜視図である。
【図７】ホルダにアンテナを固定する固定方法の一連の手順における手順２を示す斜視図である。
【図８】図７の状態をホルダの底面側より見た斜視図である。
【図９】ホルダにアンテナを固定する固定方法の一連の手順における手順３を示す斜視図である。
【図１０】ホルダにアンテナを固定する固定方法の一連の手順における手順４を示す斜視図である。
【図１１】アンテナを固定したホルダの断面図である。
【図１２】シャーシに第１の例のプリント基板を取り付けた状態を示す斜視図である。
【図１３】シャーシに取り付けた第１の例のプリント基板を半田付けした状態を示す斜視図である。
【図１４】シャーシに第２の例のプリント基板を取り付けた状態を示す斜視図である。
【図１５】シャーシに取り付けた第２の例のプリント基板を半田付けした状態を示す斜視図である。
【発明を実施するための形態】
【００１２】
以下、一実施形態のアンテナ固定構造及び電子機器について、添付図面を参照して説明する。一例として、一実施形態の電子機器を携帯無線機とする。電子機器は携帯無線機に限定されることはなく、筐体から突出したアンテナを備える任意の電子機器でよい。
【００１３】
図１において、携帯無線機１００は、筐体１０と、筐体１０より突出したアンテナ部２０とを備える。アンテナ部２０は、鋼線よりなるアンテナ２１を、樹脂製で中空のアンテナカバー２２で覆ったものである。アンテナ２１は、一例として、螺旋状のヘリカルアンテナである。
【００１４】
筐体１０は、図２に示すシャーシ１１を内蔵している。シャーシ１１には、後述するプリント基板が取り付けられる。図２は、プリント基板をシャーシ１１より取り外した状態を示している。シャーシ１１は例えばアルミニウムにより形成されている。
【００１５】
アンテナ２１はホルダ３０に固定されている。アンテナ２１を固定したホルダ３０が、シャーシ１１に固定されている。ホルダ３０は、樹脂により一体成形されている。
【００１６】
図３に示すように、アンテナ２１は、下端側のＬ字状部２１Ｌと、Ｌ字状部２１Ｌの端部から上端側までのコイル部２１Ｃとよりなる。Ｌ字状部２１Ｌは、アンテナ２１の長手方向の直線部21L1と、直線部21L1の一方の端部と連続して、直線部21L1に対して交差する方向の交差部21L2（第１の交差部）とを有する。交差部21L2は直線部21L1に対して略９０度の角度で折れ曲がっているが、直線部21L1と交差部21L2との角度は９０度でなくてもよい。
【００１７】
図３に示す例では、コイル部２１Ｃは、コイルのピッチが一定となっているが、複数のピッチが混在していてもよい。Ｌ字状部２１Ｌ以外の全てがコイル部２１Ｃとなっていなくてもよく、部分的に長手方向の直線となっていてもよい。
【００１８】
アンテナ２１は、Ｌ字状部２１Ｌと、直線部21L1の他方の端部と連続した部分であって、アンテナ２１の長手方向と交差する方向の交差部21C0（第２の交差部）とを有すればよく、他の形状は任意である。コイル部２１ＣにおけるＬ字状部と連続しているターンの一部を交差部21C0とすることができる。ターンの一部とは、１ターンまたは１未満のターンでよい。
【００１９】
図４及び図５を用いて、ホルダ３０の具体的形状を説明する。図４はホルダ３０を上方斜め方向より見た状態、図５はホルダ３０を下方斜め方向より見た状態を示している。
【００２０】
図４，図５に示すように、ホルダ３０は、上下方向と直交する方向の２つの板状突出部３０１の上方が第１の規制部である円筒部３０２、下方が第２の規制部である略四角柱状の四角柱部３０３となっている。円筒部３０２上端の開口3021は、アンテナ２１をＬ字状部２１Ｌ側より挿入させる入り口となる。板状突出部３０１には、下方へと突出する円柱状のボス３０４が形成されている。
【００２１】
四角柱部３０３には、板状突出部３０１の下面側から四角柱部３０３の底面部303Bまで、Ｌ字状部２１Ｌの交差部21L2を通すためのスリット３０５が形成されている。四角柱部３０３の底面部303Bは、スリット３０５を挟む第１底面部３０６及び第２底面部３０７と、第１底面部３０６と連続するテーパ状の第３底面部であるテーパ部３０８と、第４底面部３０９とを有する。
【００２２】
テーパ部３０８は、第１底面部３０６から離れて外側へと向かうに従ってホルダ３０の下方側に突出するように傾斜し、端部が平坦面となっている。端部の平坦面がなく、第３底面部の全体がテーパ状となっていてもよい。第４底面部３０９は、第１底面部３０６及び第２底面部３０７よりも下方側に突出した位置にある。
【００２３】
第１底面部３０６には、面方向にＵ字状に凹んだ凹部３１０が形成されている。凹部３１０は、四角柱部３０３の底面部303Bの略中央に位置している。交差部21L2がスリット３０５を通されて四角柱部３０３の底面部303B側に位置したとき、凹部３１０は、直線部21L1と交差部21L2との角部を位置させる収納凹部として作用する。スリット３０５は、四角柱部３０３の底面部303Bにおいて凹部３１０と連結している。
【００２４】
テーパ部３０８と第４底面部３０９との間には、ホルダ３０の上側へと凹んだ溝状凹部３１１が形成されている。テーパ部３０８は、溝状凹部３１１に隣接している。
【００２５】
ホルダ３０は、四角柱部３０３とは離間した状態で四角柱部３０３を挟むように配置された、一対の爪状突起３１２を有する。ホルダ３０は、爪状突起３１２によってシャーシ１１に固定される。
【００２６】
図６〜図１０を用いて、ホルダ３０に対するアンテナ２１の固定方法を説明する。図６に示すように、アンテナ２１のＬ字状部２１Ｌが開口3021より円筒部３０２内に挿入される（手順１）。
【００２７】
円筒部３０２の底面側には、円筒部３０２を通過したＬ字状部２１Ｌを四角柱部３０３へと通すための開口3022が形成されている。円筒部３０２の内壁と開口3022との間は、Ｌ字状部２１Ｌをさらに四角柱部３０３の方向へと進行させたときに交差部21C0が接触する当て部3023となっている。交差部21C0が当て部3023に接触することにより、円筒部３０２は、アンテナ２１が四角柱部３０３の方向へと変位するのを規制する。
【００２８】
図７に示すように、交差部21L2がスリット３０５に差し込まれ、アンテナ２１が押し込まれる（手順２）。図８は、スリット３０５に交差部21L2が差し込まれた状態を四角柱部３０３側から見た状態を示している。
【００２９】
アンテナ２１がさらに押し込まれると、交差部21L2はスリット３０５を進行して、図９に示すように、四角柱部３０３の底面部303B側へと到達する（手順３）。
【００３０】
直線部21L1と交差部21L2との角部を凹部３１０に位置させた状態で、アンテナ２１が１８０度回転される（手順４）。すると、図１０に示すように、直線部21L1は、鋼線が弾性を有することから、テーパ部３０８を乗り越えて溝状凹部３１１にはまる。このようにして、スリット３０５を通り抜けた交差部21L2は、四角柱部３０３の底面部303Bと接触する。交差部21L2が底面部303Bと接触することにより、四角柱部３０３は、アンテナ２１が円筒部３０２の方向へと変位するのを規制する。
【００３１】
図１０の状態で、交差部21L2が溝状凹部３１１にはまっていることから、アンテナ２１（Ｌ字状部２１Ｌ）の回転が抑制される。
【００３２】
本実施形態においては、交差部21L2を１８０度回転させた位置に溝状凹部３１１を設けているが、スリット３０５を通り抜けた交差部21L2を所定の角度回転させた位置に溝状凹部３１１を設ければよい。但し、交差部21L2を１８０度回転させた位置に溝状凹部３１１を設けることが好ましい。
【００３３】
図１１は、アンテナ２１及びホルダ３０を長手方向と平行に切断した断面図である。図１１に示すように、コイル部２１ＣのＬ字状部２１Ｌと連続しているターンによって形成されている交差部21C0は、円筒部３０２の底部の当て部3023と接触している。また、交差部21L2は、四角柱部３０３の底面部303Bと接触している。
【００３４】
よって、アンテナ２１にアンテナ２１を下方へと押し込む力がかかっても、交差部21C0が当て部3023と接触していることから、Ｌ字状部２１Ｌの下方への変位が抑制される。また、アンテナ２１にアンテナ２１を上方へと引っ張る力がかかっても、交差部21L2が四角柱部３０３の底面部303Bと接触していることから、Ｌ字状部２１Ｌの上方への変位が抑制される。
【００３５】
当て部3023と四角柱部３０３の底面部303Bとは、Ｌ字状部２１Ｌのアンテナ２１の長手方向への変位を抑制する変位抑制部として作用している。溝状凹部３１１は、Ｌ字状部２１Ｌの回転を抑制する回転抑制部として作用している。
【００３６】
このように、アンテナ２１は、ホルダ３０に対して、アンテナ２１に外力がかかったとしても、Ｌ字状部２１Ｌの回転、アンテナ２１の長手方向への変位が抑制された状態で固定される。
【００３７】
図１１において、コイル部２１Ｃの少なくとも一部が円筒部３０２の内壁と接触して、コイル部２１Ｃが円筒部３０２に嵌合していることが好ましい。コイル部２１Ｃの少なくとも一部は、１ターンでもよいし、１未満のターンでもよい。コイル部２１Ｃが円筒部３０２に嵌合していれば、さらに、Ｌ字状部２１Ｌの変位や回転を抑制することができる。
【００３８】
図２において、シャーシ１１の上面の端部には、ホルダ３０を収納する凹部１１１が形成されている。凹部１１１の底面には、四角柱部３０３を挿入するための開口１１２（図１２参照）が形成されている。凹部１１１の底面には、ホルダ３０を位置決めするため、ボス３０４が嵌合する貫通孔１１３（図１２参照）が形成されている。
【００３９】
アンテナ２１を固定したホルダ３０が、貫通孔１１３とボス３０４との位置を合わせ、四角柱部３０３を開口１１２に挿入するように凹部１１１内に押し込まれる。すると、開口１１２を通過した爪状突起３１２が凹部１１１の底面の裏面を押さえる。このようにして、アンテナ２１を固定したホルダ３０は、シャーシ１１に固定される。
【００４０】
図１２は、図２に示すシャーシ１１に第１の例のプリント基板１２を取り付けた状態を示している。第１の例のプリント基板１２には、交差部21L2を通すための孔１２１が形成されている。プリント基板１２には、孔１２１と、孔１２１の周囲にランド１２２が形成されている。
【００４１】
図１３に示すように、給電点である交差部21L2の端部をランド１２２に半田付けすれば、アンテナ２１とプリント基板１２に形成された回路とが接続される。図１３において、半田１２３が交差部21L2の端部及びランド１２２を覆い、交差部21L2の端部とランド１２２とを接続している。
【００４２】
図１３に示すように、給電点をプリント基板１２のランド１２２に直接半田付けしても、アンテナ２１（アンテナ部２０）が外力を受けた際の力は、上述した変位抑制部または回転抑制部の作用により、半田付けの箇所（半田１２３）にほとんど伝達しない。よって、半田１２３が破損することはほとんどない。
【００４３】
本実施形態によるアンテナ固定構造は、アンテナ２１をプリント基板１２のランド１２２に直接半田付けする場合以外でも、同様の効果を奏する。アンテナ２１を携帯無線機１００内の所定箇所に接続する場合も同様に、アンテナ２１が外力を受けたときに、アンテナ２１と携帯無線機１００内の所定箇所との接続が破損する可能性をほとんどなくすことができる。
【００４４】
図１４は、図２に示すシャーシ１１に第２の例のプリント基板１３を取り付けた状態を示している。第２の例のプリント基板１３は、交差部21L2と接触させる凹部１３１が形成されている。プリント基板１３には、面方向にＵ字状に凹んだ凹部１３１と、凹部１３１の周囲にランド１３２が形成されている。
【００４５】
図１５に示すように、給電点である交差部21L2の端部をランド１３２に半田付けすれば、アンテナ２１とプリント基板１３に形成された回路とが接続される。図１５において、半田１３３が交差部21L2の端部及びランド１３２を覆い、交差部21L2の端部とランド１３２とを接続している。
【００４６】
図１５においても、アンテナ２１が外力を受けたときに、半田１３３が破損することはほとんどなく、アンテナ２１と携帯無線機１００内の所定箇所との接続が破損する可能性をほとんどなくすことができる。
【００４７】
ところで、図１２に示す第１の例のプリント基板１２を用いる場合、アンテナ２１を固定したホルダ３０をシャーシ１１に固定した後に、シャーシ１１にプリント基板１２を取り付けることが必要である。
【００４８】
一方、図１４に示す第２の例のプリント基板１３を用いる場合、アンテナ２１を固定したホルダ３０をシャーシ１１に固定した後に、シャーシ１１にプリント基板１３を取り付けることができる。また、図１４に示す第２の例のプリント基板１３を用いる場合には、シャーシ１１にプリント基板１３を取り付けた後に、アンテナ２１を固定したホルダ３０をシャーシ１１に固定することもできる。
【００４９】
よって、第２の例のプリント基板１３を用いる方が、携帯無線機１００を組み立てる際の作業性が向上するので好ましい。
【００５０】
本発明は以上説明した本実施形態に限定されるものではなく、本発明の要旨を逸脱しない範囲において種々変更可能である。電子機器としては、携帯無線機１００の他、ラジオ受信機やコードレス電話機等であってもよい。
【符号の説明】
【００５１】
１０  筐体
１１  シャーシ
１２，１３  プリント基板
２０  アンテナ部
２１  アンテナ
２２  アンテナカバー
２１Ｃ  コイル部
21C0  交差部（第２の交差部）
２１Ｌ  Ｌ字状部
21L1  直線部
21L2  交差部（第１の交差部）
３０  ホルダ
３０２  円筒部（第１の規制部）
３０３  四角柱部（第２の規制部）
303B  底面部
3021，3022  開口
3023  当て部
３０５  スリット
３０６  第１底面部
３０７  第２底面部
３０８  テーパ部（第３底面部）
３０９  第４底面部
３１１  溝状凹部
１２２，１３２  ランド
【図１】
2015104032.tif 000003
【図２】
2015104032.tif 000004
【図３】
2015104032.tif 000005
【図４】
2015104032.tif 000006
【図５】
2015104032.tif 000007
【図６】
2015104032.tif 000008
【図７】
2015104032.tif 000009
【図８】
2015104032.tif 000010
【図９】
2015104032.tif 000011
【図１０】
2015104032.tif 000012
【図１１】
2015104032.tif 000013
【図１２】
2015104032.tif 000014
【図１３】
2015104032.tif 000015
【図１４】
2015104032.tif 000016
【図１５】
2015104032.tif 000017